(57)【要約】本発明は配管を囲んだ状態で固定されるクランプ部材と、クランプ部材に一端が結合されて他端がスラブで固定されるブラケットに結合される第１支え台及び第２支え台を含むように構成するが、前記クランプ部材は、半弧形でなされた第１部材と、１２０〜１５０度角度の弧形で第２部材と、垂直方向から３０〜６０度角度でなされた第３部材で構成され、前記第１支え台は、第１部材と第３部材とを結合するフランジの間とスラブに固定されるブラケットに固定される構成で配管の軸(縦)方向と垂直方向から３０〜６０度角度で傾くように設置して配管の軸(縦)方向の水平地震荷重を耐えるようにし、前記第２支え台は第２部材と第３部材とを結合するフランジの間とスラブに固定されるブラケットに固定される構成で配管の軸直角(横)方向と垂直方向から３０〜６０度角度で傾くように設置して配管の軸直角(横)方向の水平地震荷重を耐えるようにするものである。【選択図】  図１
2020516835.tif 000002
【特許請求の範囲】
【請求項１】
配管（２００）を囲んだ状態で固定されるクランプ部材（２）と、クランプ部材（２）に一端が結合され、他端がスラブ（３００）に固定されるブラケット（１３）に結合される第１支え台（３）及び第２支え台（４）を含むように構成するが、
前記クランプ部材（２）は、半弧形または１/４弧形でなされた第１部材（２１）と、（１２）０〜２（４０）度角度の弧形でなされた第２部材（２２）と、垂直方向から３０〜６０度角度でなされた第３部材（２３）で構成され、前記第１支え台（３）は、第１部材（２１）と第３部材（２３）とを結合するフランジ（２４）間とスラブ（３００）に固定されるブラケット（１３）に固定される構成で配管（２００）の軸(縦)方向と垂直から３０〜９０度角度で傾くように設置し、配管（２００）の軸(縦)方向の水平地震荷重を耐えるようにし、前記第２支え台（４）は第２部材（２２）と第３部材（２３）とを結合するフランジ（２４）間とスラブ（３００）に固定されるブラケット（１３）に固定される構成で配管（２００）の軸直角(横)方向と垂直から３０〜９０度角度で傾くように設置し、配管（２００）の軸直角(横)方向の水平地震荷重を耐えるようにしたことを特徴とする水平配管４方向支え装置。
【請求項２】
配管（２００）を囲んだ状態で固定されるクランプ部材（２）と、クランプ部材（２）に一端が結合されて他端がスラブ（３００）に固定されるブラケット（１３）に結合される第１支え台（３）及び第２支え台（４）を含むように構成するが、
前記クランプ部材（２）は、半弧形または１/４弧形でなされた第１部材（２１）と、１８０〜２（７０）度角度でなされて３０〜６０度角度の弧形で組み立て溝（２２ｂ）が円周方向に切開され、配管（２００）と接する内周縁には組み立て溝（２２ｂ）と連結される複数の係止溝（２２ｃ）が形成された陰刻で形成された第２部材（２２）で構成され、
前記第１支え台（３）は、第１部材（２１）と第２部材（２２）とを結合するフランジ（２４）間とスラブ（３００）に固定されるブラケット（１３）に固定される構成で配管（２００）の軸(縦)方向と垂直から３０〜９０度角度で傾くように設置して配管（２００）の軸(縦)方向の水平地震荷重を耐えるようにし、前記第２支え台（４）は第２部材（２２）に形成された組み立て溝（２２ｂ）を通じて内入された状態で係止溝（２２ｃ）に下端が係止される固定具（５）とスラブ（３００）に固定されるブラケット（１３）に固定される構成で配管（２００）の軸直角(横)方向と垂直から３０〜９０度角度で傾くように設置し、配管（２００）の軸直角(横)方向の水平地震荷重を耐えるようにしたことを特徴とする水平配管４方向支え装置。
【請求項３】
配管（２００）を囲んだ状態で固定されるクランプ部材（２）と、クランプ部材（２）に一端が結合され、他端がスラブ（３００）に固定されるブラケット（１３）に結合される第１支え台（３）及び第２支え台（４）を含むように構成するが、
前記クランプ部材（２）は、半弧形でなされた第１部材（２１）と、第２部材（２２）で構成され、第１、２部材のうちで何れか一つ、または両側には垂直から３０〜６０度角度でフランジ（２４）をクランプ部材（２）の軸方向に位置するように溶接して一体で具備し、
前記第１支え台（３）は、第１部材（２１）と第２部材（２２）とを結合するフランジ（２４）間とスラブ（３００）に固定されるブラケット（１３）に固定される構成で配管（２００）の軸(縦)方向と垂直から３０〜９０度角度で傾くように設置して配管（２００）の軸(縦)方向の水平地震荷重を耐えるようにし、前記第２支え台（４）は第１、２部材（２１）（２２）のうちで何れか一つ、または両側には垂直から３０〜９０度角度で具備されたフランジ（２４）とスラブ（３００）に固定されるブラケット（１３）に固定される構成で配管（２００）の軸直角(横)方向と垂直から３０〜９０度角度で傾くように設置して配管（２００）の軸直角(横)方向の水平地震荷重を耐えるようにしたことを特徴とする水平配管４方向支え装置。
【請求項４】
配管（２００）を囲んだ状態で固定されるクランプ部材（２）と、クランプ部材（２）に一端が結合され、他端がスラブ（３００）に固定されるブラケット（１３）に結合される第１支え台（３）及び第２支え台（４）を含むように構成するが、
前記クランプ部材（２）は、半弧形でなされた第１部材（２１）と、第２部材（２２）で構成されて水平で相互組み立てされ、スラブ（３００）の側に位置する第１部材（２１）には垂直でフランジ（２４）をクランプ部材（２）の軸方向に位置するように溶接して一体で具備し、
前記第１支え台（３）は、第１部材（２１）に垂直で形成されたフランジ（２４）間とスラブ（３００）に固定されるブラケット（１３）に固定される構成で配管（２００）の軸(縦)方向と垂直から３０〜９０度角度で傾くように設置して配管（２００）の軸(縦)方向の水平地震荷重を耐えるようにし、
前記第２支え台（４）は、第１、２部材（２１）（２２）を相互結合するフランジ（２４）とスラブ（３００）に固定されるブラケット（１３）に固定される構成で配管（２００）の軸直角(横)方向と垂直から３０〜９０度角度で傾くように設置し、配管（２００）の軸直角(横)方向の水平地震荷重を耐えるようにしたことを特徴とする水平配管４方向支え装置。
【請求項５】
配管（２００）を囲んだ状態で固定されるクランプ部材（２）と、クランプ部材（２）に一端が結合され、他端がスラブ（３００）に固定されるブラケット（１３）に結合される第１支え台（３）及び第２支え台（４）を含むように構成するが、
前記クランプ部材（２）は、半弧形でなされた第１部材（２１）と、第２部材（２２）で構成され、第１、２部材（２１）（２２）のうちで何れか一つ、または両側には垂直方向から３０〜６０度角度でフランジ（２４）を円周方向に位置するように溶接して一体で具備し、
前記第１支え台（３）は、第１部材（２１）と第２部材（２２）とを結合するフランジ（２４）間とスラブ（３００）に固定されるブラケット（１３）に固定される構成で配管（２００）の軸(縦)方向と垂直方向から３０〜９０度角度で傾くように設置して配管（２００）の軸(縦)方向の水平地震荷重を耐えるようにし、
前記第２支え台（４）は第１、２部材（２１）（２２）のうちで何れか一つ、または両側には垂直方向から３０〜６０度角度でありながら円周方向で具備されたフランジ（２４）とスラブ（３００）に固定されるブラケット（１３）に固定される構成で配管（２００）の軸直角(横)方向と垂直方向から３０〜９０度角度に傾くように設置して配管（２００）の軸直角(横)方向の水平地震荷重を耐えるようにしたことを特徴とする水平配管４方向支え装置。
【請求項６】
前記第１支え台（３）または第２支え台（４）は、クランプ部材（２）と結合される下部固定部材（１０）と、前記下部固定部材（１０）に螺合されるネジ棒（１１）と、前記ネジ棒（１１）の上端に螺合される上部固定部材（１２）及び上部固定部材（１２）が結合されるスラブ（３００）に固定されたブラケット（１３）を含むことを特徴とする請求項１乃至請求項５に記載の水平配管４方向支え装置。
【請求項７】
前記クランプ部材（２）を構成する第１部材（２１）と第２部材（２２）の内周縁にはゴム材質で構成される緩衝材（５０）が付加構成されたことを特徴とする請求項１乃至請求項５のうち何れか一つに記載の水平配管４方向支え装置。
【請求項８】
前記下部固定部材（１０）または上部固定部材（１２）は鉄板をプレッシング切断して一側でフランジ（２４）の間に結合される結合片（１５）を形成し、結合片（１５）の反対側には内側で調節空間（１６）が形成されるようにナット内入溝（１７）を形成してネジ棒（１１）が組み立てされるボルトを溶接して固定したことを特徴とする請求項６または請求項７に記載の水平配管４方向支え装置。
【請求項９】
前記下部固定部材（１０）を構成する結合片（１５）は垂直方向から３０〜９０度角度で折曲形成されたことを特徴とする請求項６または請求項７に記載の水平配管４方向支え装置。
【請求項１０】
前記下部固定部材（１０）または上部固定部材（１２）は平凸を折曲して形成したものであり、結合片（１５）の下側で調節空間（１６）が形成されるように連結片（１５ａ）を折曲形成し、連結片（１５ａ）で下側には前記結合片（１５）と同軸上に位置するようにネジ孔（１５ｃ）が形成されたネジ棒結合板（１５ｂ）を折曲して形成したことを特徴とする請求項６または請求項７に記載の水平配管４方向支え装置。
【請求項１１】
前記下部固定部材（１０）または上部固定部材（１２）はダイキャスティングによって形成されるものであり、結合片（１５）上側にボディー（１９）を一体形成するが、ボディー（１９）には調節空間（１６）が軸直角で貫通され、ボディー（１９）の上端にはネジ孔（１９ａ）を調節空間（１６）と連通されるように形成したことを特徴とする請求項６または請求項７に記載の水平配管４方向支え装置。
【請求項１２】
前記第１支え台（３）を構成しているブラケット（１３）を固定するアンカーボルト１３２に結合されるソケット型ナット（６１）と、ソケット型ナット（１２）に結合されるネジ棒（６２）と、ネジ棒（６２）の下端に結合される連結具（６３）と、連結具（６３）の下端に結合されて配管（２００）をクランピングするクリップ（６４）で構成されるアンカー（６）を含む構成でなされることを特徴とする請求項６または請求項７に記載の水平配管４方向支え装置。
【請求項１３】
前記第２支え台（４）の構成部材であるスラブ（３００）に固定されるブラケット（１３）には配管（２００）を設置するためのアンカー（６）を設置したことを特徴とする請求項１乃至請求項４に記載の水平配管４方向支え装置。
【請求項１４】
前記第１部材（２１）と第３部材（２３）とを結合するフランジ（２４）のうちで何れか一つと、第２部材（２２）と第３部材（２３）とを結合するフランジ（２４）のうちで何れか一つには角度表示部（４１）を形成し、前記下部固定部材（１０）には前記角度表示部（４１）と対応する指示部（４２）を形成する表示手段（４０）を設けて第１、２支え台（３）（４）の設置角度を精密に提供できるようにしたことを特徴とする請求項１に記載の水平配管４方向支え装置。
【請求項１５】
前記第１部材（２１）と第２部材（２２）とを結合するフランジ（２４）のうちで何れか一つと、第２部材（２２）に結合される固定具（５）には角度表示部（４１）を形成し、前記下部固定部材（１０）には前記角度表示部（４１）と対応する指示部（４２）を形成する表示手段（４０）を設けて第１、２支え台（３）（４）の設置角度を精密に提供できるようにしたことを特徴とする請求項２に記載の水平配管４方向支え装置。
【請求項１６】
前記第１部材（２１）と第２部材（２２）とを結合するフランジ（２４）のうちで何れか一つと、第１、２部材（２１）（２２）のうちで何れか一つ、または両側に固定されるフランジ（２４）には角度表示部（４１）を形成し、前記下部固定部材（１０）には前記角度表示部（４１）と対応する指示部（４２）を形成する表示手段（４０）を設けて第１、２支え台（３）（４）の設置角度を精密に提供できるようにしたことを特徴とする請求項３または請求項４に記載の水平配管４方向支え装置。
【請求項１７】
前記第１部材（２１）と第３部材（２３）とを結合するフランジ（２４）のうちで何れか一つと、第２部材（２２）と第３部材（２３）とを結合するフランジ（２４）のうちで何れか一つにはストッパ手段（３０）を具備し、下部固定部材（１０）が３０度以下の傾斜角で設置されることを防止できるようにしたことを特徴とする請求項１に記載の水平配管４方向支え装置。
【請求項１８】
前記ストッパ手段（３０）は、第１部材（２１）と第３部材（２３）とを結合するフランジ（２４）のうちで何れか一つと、第２部材（２２）と第３部材（２３）とを結合するフランジ（２４）のうちで何れか一つの上部に外向突き出された状態で下向き折曲して係止突起（３１）を形成し、下部固定部材（１０）が垂直から３０度以下の傾斜角で設置されることを防止できるようにすることを特徴とする請求項１７に記載の水平配管４方向支え装置。
【請求項１９】
前記ストッパ手段（３０）は、第１部材（２１）と第３部材（２３）とを結合するフランジ（２４）のうちで何れか一つと、第２部材（２２）と第３部材（２３）とを結合するフランジ（２４）のうちで何れか一つの上部にプレッシングして内側で突き出させて係止突起(３２)を形成して下部固定部材（１０）が垂直から３０度以下の傾斜角で設置されることを防止できるようにすることを特徴とする請求項１７に記載の水平配管４方向支え装置。
【請求項２０】
ストッパ手段（３０）は、第１部材（２１）と第３部材（２３）とを結合するフランジ（２４）と、第２部材（２２）と第３部材（２３）とを結合するフランジ（２４）に３０度、４５度、６０度で複数の角度調節用孔（３５）を形成し、下部固定部材（１０）にはフランジ（２４）に形成した角度調節用孔（３５）のうちで何れか一つと連通されるように中心線上に固定孔（３６）を形成して固定ピン（３７）で相互固定されることができるようにして下部固定部材（１０）が垂直から３０度以下の傾斜角で設置されることを防止できるようにすることを特徴とする請求項１７に記載の水平配管４方向支え装置。
【請求項２１】
前記第１部材（２１）と第２部材（２２）とを結合するフランジ（２４）のうちで何れか一つと、前記第２部材（２２）に結合される固定具（５）にはストッパ手段（３０）を具備し、下部固定部材（１０）が３０度以下の傾斜角で設置されることを防止できるようにしたことを特徴とする請求項２に記載の水平配管４方向支え装置。
【請求項２２】
前記ストッパ手段（３０）は、第１部材（２１）と第２部材（２２）とを結合するフランジ（２４）のうちで何れか一つと、固定具（５）の上部に外向突き出された状態で下向き折曲して係止突起（３１）を形成し、下部固定部材（１０）が垂直から３０度以下の傾斜角で設置されることを防止できるようにすることを特徴とする請求項２１に記載の水平配管４方向支え装置。
【請求項２３】
前記ストッパ手段（３０）は、第１部材（２１）と第２部材（２２）とを結合するフランジ（２４）のうちで何れか一つと固定具（５）の上部にプレッシングして内側に突き出させて係止突起（３２）を形成し、下部固定部材（１０）が垂直から３０度以下の傾斜角で設置されることを防止できるようにすることを特徴とする請求項２１に記載の水平配管４方向支え装置。
【請求項２４】
ストッパ手段（３０）は、第１部材（２１）と第３部材（２３）とを結合するフランジ（２４）と、固定具（５）に３０度、４５度、６０度で複数の角度調節用孔（３５）を形成し、下部固定部材（１０）にはフランジ（２４）と固定具（５）に形成した角度調節用孔（３５）のうちで何れか一つと連通されるように中心線上に固定孔（３６）を形成して固定ピン（３７）で相互固定されることができるようにし、下部固定部材（１０）が垂直から３０度以下の傾斜角で設置されることを防止できるようにすることを特徴とする請求項２１に記載の水平配管４方向支え装置。
【請求項２５】
前記第１部材（２１）と第２部材（２２）とを結合するフランジ（２４）のうちで何れか一つと、前記第１、２部材（２１）（２２）のうちで何れか一つ、または両側に固定されるフランジ（２４）にはストッパ手段（３０）を具備し、下部固定部材（１０）が３０度以下の傾斜角で設置されることを防止できるようにしたことを特徴とする請求項３に記載の水平配管４方向支え装置。
【請求項２６】
前記ストッパ手段（３０）は、第１部材（２１）と第２部材（２２）とを結合するフランジ（２４）のうちで何れか一つと、第１、２部材（２１）（２２）のうちで何れか一つ、または両側に固定されるフランジ（２４）には上部に外向突き出された状態で下向き折曲して係止突起（３１）を形成し、下部固定部材（１０）が垂直から３０度以下の傾斜角で設置されることを防止できるようにすることを特徴とする請求項２５に記載の水平配管４方向支え装置。
【請求項２７】
前記ストッパ手段（３０）は、第１部材（２１）と第２部材（２２）とを結合するフランジ（２４）のうちで何れか一つと、第１、２部材（２１）（２２）のうちで何れか一つ、または両側に固定されるフランジ（２４）には上部にプレッシングして内側に突き出させて係止突起（３２）を形成し、下部固定部材（１０）が垂直から３０度以下の傾斜角で設置されることを防止できるようにすることを特徴とする請求項２５に記載の水平配管４方向支え装置。
【請求項２８】
前記ストッパ手段（３０）は、第１部材（２１）と第２部材（２２）とを結合するフランジ（２４）と、第１、２部材（２１）（２２）のうちで何れか一つ、または両側に固定されるフランジ（２４）に３０度、４５度、６０度で複数の角度調節用孔（３５）を形成し、下部固定部材（１０）にはフランジ（２４）を形成した角度調節用孔（３５）のうちで何れか一つと連通されるように中心線上に固定孔（３６）を形成して固定ピン（３７）で相互固定されることができるようにし、下部固定部材（１０）が垂直から３０度以下の傾斜角で設置されることを防止できるようにすることを特徴とする請求項２５に記載の水平配管４方向支え装置。
【請求項２９】
前記ストッパ手段（３０）は、下部固定部材（１０）の結合片（１５）下側面を３０度角度で配管（２００）と面接支持されるように平面部（３３）を形成し、下部固定部材（１０）が垂直から３０度以下の傾斜角で設置されることを防止できるようにすることを特徴とする請求項１７、請求項２１、請求項２５のうちで何れか一つに記載の水平配管４方向支え装置。
【請求項３０】
前記ストッパ手段（３０）は下部固定部材（１０）の結合片（１５）に突き出された係止突起（３４）を形成し、下部固定部材（１０）が垂直から３０度以下の傾斜角で設置されることを防止できるようにすることを特徴とする請求項１７、請求項２１、請求項２５のうちで何れか一つに記載の水平配管４方向支え装置。
【請求項３１】
前記第１、２部材（２１）（２２）のうちでフランジ（２４）が形成された部材にはハンガー兼用フランジ２７をさらに設置し、第１支え台（３）またはハンガー（６）を結合できるようにしたことを特徴とする請求項５に記載の水平配管４方向支え装置。
【請求項３２】
前記フランジ（２４）は鉄板を凵型で折曲して連結部分側を第１部材（２１）または第２部材（２２）に固定するが、
前記フランジ（２４）は連結部分がクランプ部材（２）の幅に符合するか、またはクランプ部材（２）の幅より狭い幅で構成されたことを特徴とする請求項５に記載の水平配管４方向支え装置。
【請求項３３】
前記第２支え台（４）は上端がスラブ（３００）に固定されたブラケット（１３）に回動自在にボルトとナットでなされた固定手段（６０）で結合され、下端が鉄板を凵型で折曲し、構成したフランジ（２４）に回動自在にボルトとナットでなされた固定手段（６０）で結合したパイプ（７０）構成であることを特徴とする請求項５に記載の水平配管４方向支え装置。
【請求項３４】
前記第２支え台（４）は鉄板を凵型で折曲して構成したフランジ（２４）の内側または外側と、スラブ（３００）に固定されたブラケット（１３）に結合される下部固定部材（１０）及び上部固定部材（１２）と、これらを相互連結するネジ棒（１１）及びネジ棒（１１）に締結されるナット（１８）を含む構成でなされることを特徴とする請求項５に記載の水平配管４方向支え装置。
【請求項３５】
前記下部固定部材（１０）及び上部固定部材（１２）は向かい合う一対の固定板（１０ａ）、（１２ａ）とこれら固定板（１０ａ）、（１２ａ）の一側を連結する連結板（１０ｂ）、（１２ｂ）を含む構成でなされて、両側固定板（１０ａ）、（１２ａ）にはフランジ（２４）に形成された孔を連通されてボルトとナットで構成される固定手段（６０）を結合するように固定孔（１０ｃ）、（１２ｃ）を形成し、連結板（１０ｂ）、（１２ｂ）にはネジ棒（１１）が挟まれるネジ棒組み立て孔（１０ｄ）を形成したものであり、フランジ（２４）と共に鉄板をコ字型に折曲して構成したことを特徴とする請求項３４に記載の水平配管４方向支え装置。
【請求項３６】
前記フランジ（２４）の上端と下部固定部材（１０）及び上部固定部材（１２）を構成する固定板（１０ａ）、（１２ａ）の上端両側で３０度または４５度角度の傾斜面（２４ａ）、（１０ｅ）、（１２ｅ）を形成したことを特徴とする請求項３４に記載の水平配管４方向支え装置。
【発明の詳細な説明】
【技術分野】
【０００１】
本発明は、建築物内に設置される配管に適用される水平配管４方向支え装置に関するものであり、より具体的には、一つのクランプに配管の軸(縦)方向と軸直角(横)方向の水平地震荷重を同時に耐えることができる２個の支え台を結合し、配管の変形及び破損を防止できるようにし、支え台の構成を簡素化して安価製作がなされるようにしたし、併せてクランプと支え台の結合角度を作業者が易しく確認して設置することができる機能性を提供して設置作業が簡便でありながらも正確になされるようにする水平配管４方向支え装置を提供しようとする。
また、配管ハンガーが設置後支え台を２重で設置する一般的な作業工程を解消しようとハンガーの機能を有するようにしようとする。
【背景技術】
【０００２】
建築物内に設置される配管はスラブに支え装置で固定設置される。前記した支え装置は配管を取ってくれる基本機能と共に地震によって発生する水平地震荷重を耐えるようにして配管を安全に保護する機能性も有する。
配管に適用される支え装置は縦方向振動を吸収処理することと、横方向振動を吸収処理することを要し、多様な先行技術らが提案されている。
【０００３】
縦方向振動を吸収処理する例としては、大韓民国公開特許公報(Ａ)１０-２０１６-００５７３５８号(２０１６．０５．２３．)のパイプを具備した縦方向振動防止支え装置が提案されているし、これの構成は配管の上部外面一側を固定させてくれる第１クランプと、前記第１クランプから一定間隔を置いて位置されて配管の下部外面一側を固定させてくれる第２クランプと、前記第１クランプの一側と第２クランプの一側を固定させてくれる固定部と、前記第１クランプの他側と第２クランプの他側を固定させてくれるが、回転可能に設置された第１ヒンジ部と、前記第１ヒンジ部の回転可能に設置されて地震波の衝撃を吸収すると共に配管が搖れないようにしてくれる第１連結部と、前記第１連結部から一定間隔を置いて位置された第１回転手段と、前記第１回転手段に回転可能に設置されて地震波の衝撃を吸収すると共に配管が搖れないようにしてくれる第３連結部と、前記第１連結部と第３連結部との間に螺合されて地震波の衝撃を吸収すると共に配管が搖れないようにしてくれる第１パイプを含んだ構成などを提案している。
【０００４】
そして、横方向振動を吸収処理する例としては、大韓民国公開特許公報(Ａ)１０-２０１６-００５８０７２号(２０１６．０５．２４．)の振動防止支え装置が提案されているし、これの構成は第１回転手段と、前記第１回転手段に回転可能に設置され、地震波の衝撃を吸収すると共に配管が搖れないようにしてくれる第１連結部と、前記第１連結部に着脱可能に螺合されて地震波の衝撃を吸収すると共に配管が搖れないようにしてくれる第１パイプと、前記第１パイプの外面一端部に設置された第１クランプと、前記第１クランプの一側に設置されたヒンジ部と、前記第１連結部から一定間隔を置いて第１パイプの外面一側に設置された第２クランプと、前記第１クランプと第２クランプとの間に位置されるが、前記第１パイプの外面一側に設置された第３クランプと、前記第２クランプに設置されると共に第３クランプに設置されて配管を固定させてくれるＵベンドと、前記第１回転手段から一定間隔を置いて位置される第２回転手段と、前記第２回転手段に回転可能に設置されて地震波の衝撃を吸収すると共に配管が搖れないようにしてくれる第２連結部と、前記第２連結部に着脱可能に螺合されて地震波の衝撃を吸収すると共に配管が搖れないようにしてくれる第２パイプと、前記第２連結部から一定間隔を置いて第２パイプの外面一端部に設置されるが、前記ヒンジ部によって第１クランプの上面一側に設置された第４クランプを含んだ構成などに提供されている。
【０００５】
しかし、前記した構成らの支え装置は構成が複雑で製作費用がたくさん必要となる問題点があって、特に、縦方向と横方向の振動をすべて吸収するようにするためには配管上にそれぞれ設置しなければならない不便があった。
【０００６】
一方、前記した不便を解決することができる手段で大韓民国公開実用新案公報(Ｕ)２０-２０１６-０００１７５５号(２０１６．０５．２４．)の振動防止装置が提案されているし、これの構成は配管の上部外面一側を固定させてくれる上部クランプと、前記上部クランプから一定間隔を置いて位置されて配管の下部外面一側を固定させてくれる下部クランプと、前記上部クランプの上面一側に回転可能に設置されて地震波によって回転する第１回転手段と、前記第１回転手段から一定間隔を置いて天井面に回転可能に設置されて地震波によって回転する第２回転手段と、前記第１回転手段と第２回転手段との間に設置されて第１及び第２回転手段の回転によって回転されて地震波の衝撃を吸収するネジ棒を含む構成等に提供されている。
【０００７】
しかし、前記した先行技術の場合クランプに第１連結部を結合し、第１連結部に第３乃至第７連結部を相互結合して横方向及び縦方向で設置される第１、２ネジ棒を組立てて支え作用が可能にさせたことで構成が複雑で製作費用が上昇する問題点があった。
【０００８】
ネジ棒の傾きを確認することができる手段が不在で消防法で規定している３０度以上に支え台の設置しなければならないが、現場でこの規定に符合するように設置することができなくて再施工する事例が相当に発生しているが、業界ではこのような問題点を同時に解決することができる新規な構成の支え装置が要求されている。
【０００９】
また、耐震用支え台を配管の軸(縦)方向及び軸直角(横)方向、軸方向または軸直角方向だけで使おうとする場合には配管に支え台を適用する前にハンガーを設置した後支え台を設置するので、支え台とハンガーが二重で設置されるので、これを解消しようとソケット型ナットまたは第１部材と締結されるフランジにハンガーを設置するようにして耐震用支え台とハンガーを二重で設置する工程を無くそうとする。
【先行技術文献】
【特許文献】
【００１０】
【特許文献１】大韓民国公開特許公報(Ａ)１０-２０１６-００５７３５８号
【特許文献２】大韓民国公開特許公報(Ａ)１０-２０１６-００５８０７２号
【特許文献３】大韓民国公開実用新案公報(Ｕ)２０-２０１６-０００１７５５号
【発明の概要】
【発明が解決しようとする課題】
【００１１】
これに本発明者は、従来配管設置に関した耐震性を有する多様な支え装置で軸(縦)方向または軸直角(横)方向での振動を耐えるようにすることで複数の支え装置を設置しなければならない問題点と、施工過程でクランプと支え台の結合角度を３０より大きい角度で施工する時正確な角度で施工が難しい問題点と支え台設置前配管を支持するハンガーを２重で設置する作業工程を減らそうと本発明を研究開発したものである。
【００１２】
すなわち、本発明ではクランプを２等分または３等分して配管の軸(縦)方向の水平地震荷重を耐える支え台と、配管の軸直角(横)方向の水平地震荷重を耐える支え台を共に適用して配管の変形や破損を防止できるようにし、支え台の構成を簡素化しながらも長さ調節が可能な構造で提供しながらも安価で製作できるようにすると共にクランプに形成されたフランジ及び支え台の両端に具備される結合部材に角度を表示することができる手段を具備して作業者がこれを通じて所望する設置角度で簡便に施工がなされるようにし、施工過程が正確で速かになされるようにし、支え台設置前配管を支持することができる一般的なハンガーの機能性を提供する水平配管４方向支え装置を提供することに発明の技術的課題を置いて本発明を完成したものである。
【課題を解決するための手段】
【００１３】
課題解決手段として本発明では第一、配管を囲んだ状態で固定されるクランプ部材と、クランプ部材に一端が結合されて他端がスラブに固定されるブラケットに結合される第１支え台及び第２支え台を含むように構成するが、前記クランプ部材は、半弧形でなされた第１部材と、水平方向から１２０〜１５０度角度の弧形で第２部材と、垂直方向から３０〜９０度角度でなされた第３部材で構成され、前記第１支え台は、第１部材と第３部材とを結合するフランジの間とスラブで固定されるブラケットに固定される構成で配管の軸(縦)方向と垂直方向から３０〜９０度角度で傾くように設置して配管の軸(縦)方向の水平地震荷重を耐えるようにし、前記第２支え台は第２部材と第３部材とを結合するフランジの間とスラブに固定されるブラケットに固定される構成で配管の軸直角(横)方向と垂直方向から３０〜９０度角度で傾くように設置して配管の軸直角(横)方向の水平地震荷重を耐えるようにすることを特徴とする。
【００１４】
二番目、配管を囲んだ状態で固定されるクランプ部材と、クランプ部材に一端が結合されて他端がスラブに固定されるブラケットに結合される第１支え台及び第２支え台を含むように構成するが、前記クランプ部材は、半弧形でなされた第１部材と、３０〜６０度角度の弧形で組み立て溝が円周方向に切開され、配管と接する内周縁には組み立て溝と連結される複数の係止溝が形成された陰刻に形成された第２部材で構成され、前記第１支え台は、第１部材と第２部材とを結合するフランジの間とスラブに固定されるブラケットに固定される構成で配管の軸(縦)方向と垂直方向から３０〜９０度角度で傾くように設置して配管の軸(縦)方向の水平地震荷重を耐えるようにし、前記第２支え台は第２部材形成された組み立て溝を通じて内入された状態で係止溝に下端が係止される固定具とスラブに固定されるブラケットに固定される構成で配管の軸直角(横)方向と垂直方向から３０〜９０度角度で傾くように設置して配管の軸直角(横)方向の水平地震荷重を耐えるようにしたことを特徴とする。
【００１５】
三番目、配管を囲んだ状態で固定されるクランプ部材と、クランプ部材に一端が結合され、他端がスラブに固定されるブラケットに結合される第１支え台及び第２支え台を含むように構成するが、前記クランプ部材は、半弧形でなされた第１部材と、第２部材で構成され、第１、２部材のうちで何れか一つ、または両側には垂直方向から３０〜６０度角度でフランジをクランプ部材の軸方向に位置するように溶接して一体で具備し、前記第１支え台は、第１部材と第２部材とを結合するフランジの間とスラブに固定されるブラケットに固定される構成で配管の軸(縦)方向と垂直方向から３０〜９０度角度で傾くように設置して配管の軸(縦)方向の水平地震荷重を耐えるようにし、前記第２支え台は第１、２部材のうちで何れか一つ、または両側には垂直方向から３０〜６０度角度で具備されたフランジとスラブに固定されるブラケットに固定される構成で配管の軸直角(横)方向と垂直方向から３０〜９０度角度で傾くように設置して配管の軸直角(横)方向の水平地震荷重を耐えるようにしたことを特徴とする。
【００１６】
四番目、配管を囲んだ状態で固定されるクランプ部材と、クランプ部材に一端が結合され、他端がスラブに固定されるブラケットに結合される第１支え台及び第２支え台を含むように構成するが、前記クランプ部材は、半弧形でなされた第１部材と、第２部材で構成されて水平で相互組み立てされ、スラブ側に位置する第１部材が垂直でフランジをクランプ部材の軸方向に位置するように溶接して一体で具備し、前記第１支え台は、第１部材が垂直で形成されたフランジの間とスラブに固定されるブラケットに固定される構成で配管の軸(縦)方向と垂直方向から３０〜９０度角度で傾くように設置して配管の軸(縦)方向の水平地震荷重を耐えるようにし、前記第２支え台は、第１、２部材相互結合するフランジとスラブに固定されるブラケットに固定される構成で配管の軸直角(横)方向と垂直方向から３０〜９０度角度で傾くように設置して配管の軸直角(横)方向の水平地震荷重を耐えるようにしたことを特徴とする。
【００１７】
五番目、配管を囲んだ状態で固定されるクランプ部材と、クランプ部材に一端が結合され、他端がスラブに固定されるブラケットに結合される第１支え台及び第２支え台を含むように構成するが、前記クランプ部材は、半弧形でなされた第１部材と、第２部材で構成され、第１、２部材のうちで何れか一つ、または両側には垂直方向から３０〜６０度角度でフランジを円周方向に位置するように溶接して一体で具備し、前記第１支え台は、第１部材と第２部材とを結合するフランジの間とスラブに固定されるブラケットに固定される構成で配管の軸(縦)方向と垂直方向から３０〜９０度角度で傾くように設置して配管の軸(縦)方向の水平地震荷重を耐えるようにし、前記第２支え台は第１、２部材のうちで何れか一つ、または両側には垂直方向から３０〜６０度角度ながら円周方向に具備されたフランジとスラブに固定されるブラケットに固定される構成で配管の軸直角(横)方向と垂直方向から３０〜９０度角度で傾くように設置して配管の軸直角(横)方向の水平地震荷重を耐えるようにしたことを特徴とする。
【００１８】
六番目、前記第１支え台または第２支え台は、クランプ部材と結合される下部固定部材と、前記下部固定部材に螺合されるネジ棒と、前記ネジ棒の上端に螺合される上部固定部材及び上部固定部材が結合されるスラブに固定されたブラケットを含むことを特徴とする。
七番目、前記クランプ部材を構成する第１部材と第２部材の内周縁にはゴム材質で構成される緩衝材を付加構成したことを特徴とする。
【００１９】
八番目、前記下部固定部材または上部固定部材は鉄板をプレッシング切断し、一側でフランジの間に結合される結合片を形成し、結合片の反対側には内側に調節空間が形成されるようにボルト内入溝を形成してネジ棒が組み立てされるナットを有することを特徴とする。
九番目、前記下部固定部材を構成する結合片は垂直方向から３０〜９０度角度で折曲形成されたことを特徴とする。
【００２０】
十番目、前記下部固定部材または上部固定部材は平凸を折曲して形成したものであり、結合片の下側で調節空間が形成されるように連結片を折曲形成し、連結片で下側には前記結合片と同軸上に位置するようにネジ孔が形成されたネジ棒結合板を折曲して形成したことを特徴とする。
【００２１】
十一番目、前記下部固定部材または、上部固定部材はダイキャスティングによって形成されるものであり、結合片の上側にボディーを一体で形成するが、ボディーには調節空間が軸直角で貫通され、ボディーの上端にはネジ孔を調節空間と連通されるように形成したことを特徴とする。
【００２２】
十二番目、前記第１支え台を構成しているブラケットを固定するアンカーボルトに結合されるソケット型ナットと、ソケット型ナットに結合されるネジ棒と、ネジ棒の下端に結合される連結具と、連結具の下端に結合されて配管をクランピングするクリップを含む構成でなされることを特徴とする。
十三番目、前記第２支え台の構成部材であるスラブに固定されるブラケットには配管を設置するためのハンガーを設置したことを特徴とする。
【００２３】
十四番目、前記第１部材と第３部材とを結合するフランジのうちで何れか一つと、第２部材と第３部材とを結合するフランジのうちで何れか一つには角度表示部を形成し、前記下部固定部材には前記角度表示部と対応する指示部を形成する表示手段を設けて第１、２支え台の設置角度を精密に提供できるようにしたことを特徴とする。
【００２４】
十五番目、前記第１部材と第２部材とを結合するフランジのうちで何れか一つと、第２部材に結合される固定具には角度表示部を形成し、前記下部固定部材には前記角度表示部と対応する指示部を形成する表示手段を設けて第１、２支え台の設置角度を精密に提供できるようにしたことを特徴とする。
【００２５】
十六番目、前記第１部材と第２部材とを結合するフランジのうちで何れか一つと、第１、２部材のうちで何れか一つ、または両側に固定されるフランジには角度表示部を形成し、前記下部固定部材には前記角度表示部と対応する指示部を形成する表示手段を設けて第１、２支え台の設置角度を精密に提供できるようにしたことを特徴とする。
【００２６】
十七番目、前記第１部材と第３部材とを結合するフランジのうちで何れか一つと、第２部材と第３部材とを結合するフランジのうちで何れか一つにはストッパ手段を具備して下部固定部材が３０度以下の傾斜角で設置されることを防止できるようにしたことを特徴とする。
【００２７】
十八番目、前記ストッパ手段は、第１部材と第３部材とを結合するフランジのうちで何れか一つと、第２部材と第３部材とを結合するフランジのうちで何れか一つの上部に外向突き出された状態で下向き折曲して係止突起を形成し、下部固定部材が垂直から３０度以下の傾斜角で設置されることを防止できるようにすることを特徴とする。
【００２８】
十九番目、前記ストッパ手段は、第１部材と第３部材とを結合するフランジのうちで何れか一つと、第２部材と第３部材とを結合するフランジのうちで何れか一つの上部にプレッシングして内側に突き出させ、係止突起を形成して下部固定部材が垂直から３０度以下の傾斜角で設置されることを防止できるようにすることを特徴とする。
【００２９】
二十番目、ストッパ手段は第１部材と第３部材とを結合するフランジと、第２部材と第３部材とを結合するフランジに３０度、４５度、６０度で複数の角度調節用孔を形成し、下部固定部材にはフランジに形成した角度調節用孔のうちで何れか一つと連通されるように中心線上に固定孔を形成して固定ピンで相互固定されることができるようにして下部固定部材が垂直から３０度以下の傾斜角で設置されることを防止できるようにすることを特徴とする。
【００３０】
二十一番目、前記第１部材と第２部材とを結合するフランジのうちで何れか一つと、前記第２部材に結合される固定具にはストッパ手段を具備し、下部固定部材が３０度以下の傾斜角で設置されることを防止できるようにしたことを特徴とする。
【００３１】
二十二番目、前記ストッパ手段は、第１部材と第２部材とを結合するフランジのうちで何れか一つと、固定具の上部に外向突き出された状態で下向き折曲して係止突起を形成して下部固定部材が垂直から３０度以下の傾斜角で設置されることを防止できるようにすることを特徴とする。
【００３２】
二十三番目、前記ストッパ手段は、第１部材と第２部材とを結合するフランジのうちで何れか一つと固定具の上部にプレッシングして内側に突き出させて係止突起を形成し、下部固定部材が垂直から３０度以下の傾斜角で設置されることを防止できるようにすることを特徴とする。
【００３３】
二十四番目、ストッパ手段は第１部材と第３部材とを結合するフランジと、固定具に３０度、４５度、６０度で複数の角度調節用孔を形成し、下部固定部材にはフランジと固定具に形成した角度調節用孔のうちで何れか一つと連通されるように中心線上に固定孔を形成して固定ピンで相互固定されることができるようにし、下部固定部材が垂直から３０度以下の傾斜角で設置されることを防止できるようにすることを特徴とする。
【００３４】
二十五番目、前記第１部材と第２部材とを結合するフランジのうちで何れか一つと、前記第１、２部材のうちで何れか一つ、または両側に固定されるフランジにはストッパ手段を具備し、下部固定部材が３０度以下の傾斜角で設置されることを防止できるようにしたことを特徴とする。
【００３５】
二十六番目、前記ストッパ手段は、第１部材と第２部材とを結合するフランジのうちで何れか一つと、第１、２部材のうちで何れか一つ、または両側に固定されるフランジには上部に外向突き出された状態で下向き折曲して係止突起を形成したことを特徴とする。
【００３６】
二十七番目、前記ストッパ手段は、第１部材と第２部材とを結合するフランジのうちで何れか一つと、第１、２部材のうちで何れか一つ、または両側に固定されるフランジには上部にプレッシングして内側で突き出させて係止突起を形成し、下部固定部材が垂直から３０度以下の傾斜角で設置されることを防止できるようにすることを特徴とする。
【００３７】
二十八番目、前記ストッパ手段は、第１部材と第２部材とを結合するフランジと、第１、２部材のうちで何れか一つ、または両側に固定されるフランジに３０度、４５度、６０度で複数の角度調節用孔を形成し、下部固定部材にはフランジ形成した角度調節用孔のうちで何れか一つと連通されるように中心線上に固定孔を形成して固定ピンで相互固定されることができるようにし、下部固定部材が垂直から３０度以下の傾斜角で設置されることを防止できるようにすることを特徴とする。
【００３８】
二十九番目、前記ストッパ手段は、下部固定部材の結合片下側面を３０度角度で配管と面接支持されるように平面部を形成し、下部固定部材が垂直から３０度以下の傾斜角で設置されることを防止できるようにすることを特徴とする。
【００３９】
三十番目、前記ストッパ手段は、下部固定部材の結合片に突き出された係止突起を形成し、下部固定部材が垂直から３０度以下の傾斜角で設置されることを防止できるようにすることを特徴とする。
【００４０】
三十一番目、前記第１、２部材のうちでフランジが形成された部材にはハンガー兼用フランジ２７をさらに設置し、第１支え台またはハンガーを結合するようにしたことを特徴とする。
【００４１】
三十二番目、前記フランジは鉄板を凵型で折曲して連結部分側を第１部材または第２部材固定するが、前記フランジは連結部分がクランプ部材の幅に符合するか、またはクランプ部材の幅より狭い幅で構成されたことを特徴とする。
【００４２】
三十三番目、前記第２支え台は上端がスラブに固定されたブラケットに回動自在にボルトとナットでなされた固定手段で結合され、下端が鉄板を凵型で折曲して構成したフランジに回動自在にボルトとナットでなされた固定手段で結合したパイプ構成であることを特徴とする。
【００４３】
三十四番目、前記第２支え台は鉄板を凵型で折曲して構成したフランジの内側または外側と、スラブに固定されたブラケットに結合される下部固定部材及び上部固定部材と、これらを相互連結するネジ棒及びネジ棒に締結されるナットを含む構成でなされることを特徴とする。
【００４４】
三十五番目、前記下部固定部材及び上部固定部材は向かい合う一対の固定板とこれら固定板の一側を連結する連結板を含む構成でなされて、両側固定板にはフランジに形成された孔と連通されてボルトとナットで構成される固定手段を結合するように固定孔を形成し、連結板にはネジ棒が挟まれるネジ棒組み立て孔を形成したものであり、フランジのように鉄板を凵型で折曲して構成したことを特徴とする。
【００４５】
三十六番目、前記フランジの上端と下部固定部材及び上部固定部材を構成する固定板の上端両側に４５度角度の傾斜面を形成したことを特徴とすることを特徴とする。
【発明の効果】
【００４６】
本発明で提供する水平配管４方向支え装置を使用する場合下記のような効果がある。
-クランプ部材を２個の部材で構成し、２個の支え台を同時に結合する構成を提供するので構成が簡単である。
-配管の軸(縦)方向と軸直角(横)方向の振動を２個の支え台で吸収処理するので耐震性が優秀である。
-２個の支え台構成が簡単で製作が容易で、また、安価の製作費用で製作が可能である。
【００４７】
-クランプ部材のフランジと第１、２支え台を構成する下部固定部材に角度表示部と指示部が形成されるので、作業者がこれを利用して第１、２支え台の設置角度を所望するどおりに易しく適用することができる。
【００４８】
-クランプ部材のフランジと第１、２支え台にストッパ手段が具備されるので、第１、２支え台を設置するにおいて、消防基準で決めている３０度より小さな角度で施工が不可能であるので、施工量による問題点を完壁に解消することができる。
【００４９】
-耐震用支え台を設置する前に配管を固定するハンガーを設置した以後、支え台を設置することによって２重で配管を固定支持する作業工程を一掃することができる。
【図面の簡単な説明】
【００５０】
【図１】本発明で提供する水平配管４方向支え装置の望ましい一実施例を示す斜視図である。
【図２】図１の正面図である。
【図３】図１の側断面図である。
【図４】本発明に適用されることができるクランプ部材の一例を示す分解斜視図である。
【図５】本発明に適用されることができるクランプ部材の他の例を示す分解斜視図である。
【図６】本発明に適用されることができるクランプ部材のまた他の例を示す分解斜視図である。
【図７】本発明に適用されることができるクランプ部材のまた他の例を示す斜視図である。
【図８】図７に適用されるクランプ部材にフランジを９０度角度で設置して第１、２支え台を適用した例を示す側断面図である。
【図９】本発明に適用されることができるクランプ部材のまた他の例を示す分解斜視図である。
【図１０】本発明に適用されることができる第１、２支え台の望ましい一実施例を示す斜視図である。
【図１１】本発明の第１、２支え台に適用される下部固定部材の構成を示す分解斜視図である。
【図１２】本発明第１、２支え台の正面図である。
【図１３】本発明第１、２支え台に適用されることができる下部固定部材と上部固定部材の他の実施例を示す斜視図である。
【図１４】本発明第１、２支え台に適用されることができる下部固定部材と上部固定部材の他の実施例を示す斜視図である。
【図１５】本発明のクランプ部材に下部固定部材を結合した状態でストッパ手段を適用した状態の第１実施例を示す拡大斜視図である。
【図１６】本発明のクランプ部材に下部固定部材を結合した状態でストッパ手段を適用した状態の第２実施例を示す拡大斜視図である。
【図１７】本発明のクランプ部材に下部固定部材を結合した状態でストッパ手段を適用した状態の第３実施例を示す拡大斜視図である。
【図１８】本発明のクランプ部材に下部固定部材を結合した状態でストッパ手段を適用した状態の第４実施例を示す拡大斜視図である。
【図１９】本発明のクランプ部材に下部固定部材を結合した状態でストッパ手段を適用した状態の第５実施例を示す拡大斜視図である。
【図２０】本発明の第１支え台にハンガーを適用した状態を示す斜視図である。
【図２１】図２０の正面図である。
【図２２】本発明のクランプ部材に第２支え台だけ適用した状態でハンガーを適用した状態を示す斜視図である。
【図２３】本発明に適用されることができるクランプ部材のまた他の例を示す斜視図である。
【図２４】図２３に適用されることができる第２支え台の望ましい一実施例を示す斜視図である。
【図２５】図２４で提供する第２支え台の使用例を示す正面図である。
【図２６】図２３に適用されることができる第２支え台の望ましい他の実施例を示す斜視図である。
【図２７】図２６で提供する第２支え台の使用例を示す正面図である。
【発明を実施するための形態】
【００５１】
以下、本発明で提供する水平配管４方向支え装置の望ましい一実施例を添付図面に基づいて説明する。
【００５２】
図１は、本発明で提供する水平配管４方向支え装置の望ましい一実施例を示す斜視図を示した図面であり、図２は図１の正面図、図３は図１の側断面図をそれぞれ示した図面である。
【００５３】
本発明で提供する水平配管４方向支え装置１は、建築物に設置される上下水道管、ガス管、消防用配管などのように流体を供給する各種配管２００に適用し、特に、地震発生時配管２００の軸(縦)方向と、軸直角(横)方向で発生する水平地震荷重を耐えるようにして配管２００を安全に保護できるようにしたものである。
【００５４】
このために本発明の水平配管４方向支え装置１の場合配管２００を囲んだ状態で結合される一つのクランプ部材２と、クランプ部材２とスラブ３００との間に設置される第１支え台３及び第２支え台４を含む構成でなされる。
【００５５】
前記第１支え台３は軸(縦)方向での水平地震荷重を耐えることができるものであり、図２に示されたように配管２００の軸(縦)方向(長さ方向)で垂直から３０度以上９０度以下で傾くように設置し、第２支え台４は図３に示されたように配管２００の軸直角(横)方向(円周方向)で垂直から３０度以上９０度以下で傾くように設置するようになる。
【００５６】
参照で付け加えて言えば、耐震性を有するように設置される支え台の場合スラブ３００と底を連結する垂直線上で最小３０度以上の傾きを提供するように消防法上に明示されている。
図４は、本発明に適用されることができるクランプ部材の一例を示す分解斜視図を示したものである。
【００５７】
本発明で提供されるクランプ部材２の例としては、図示されたように３個の部材によってなされる。すなわち、半弧形で形成される第１部材２１と、１２０〜１５０度角度の弧形で第２部材２２と、垂直方向から３０〜６０度角度でなされた第３部材２３で構成される。
【００５８】
前記第１乃至第３部材２１、２２、２３には両端部にそれぞれフランジ２４が形成され、フランジ２４に固定孔２５を形成し、ボルトとナットで構成される締結手段２６によって相互締結されることができるように構成する。前記第１乃至第３部材２１、２２、２３は相互結合された状態である時内周面に配管２００と接する円弧を形成するようになる。
図５は、本発明に適用されることができるクランプ部材の他の例を示す分解斜視図を示したものである。
【００５９】
図５で提供するクランプ部材２は前記のように第１乃至第３部材２１、２２、２３で構成するにおいて、第１部材２１と第２部材２２を連結する構成がヒンジタイプによってなされるようにしたものであり、第１部材２１にヒンジ溝２１aを形成し、第２部材２２にヒンジ片２２aを形成し、相互組立てて回動自在に構成したものである。このような構成は２個の部材を相互連結する構成は一般的な構成でこれに対する具体的な説明は略する。
図６は、本発明に適用されることができるクランプ部材のまた他の例を示す分解斜視図を示したものである。
【００６０】
図６でのクランプ部材２は前記とは異なり半弧形で形成される第１部材２１と第２部材２２との組合でなされたものである。この時、第２部材２２には垂直から３０〜９０度角度の弧形で組み立て溝２２ｂが円周方向に切開されているし、配管２００と接する内周縁には組み立て溝２２ｂと連結される複数の係止溝２２ｃが軸(縦)方向に形成される構成を有する。本発明では３ヶ所の係止溝２２ｃが形成された例が図示されているし、３０度、４５度、６０度の位置にそれぞれ形成された状態である。
【００６１】
また、図６で提供するクランプ部材２は固定具５をさらに含む構成を有する。固定具５は上側で第２支え台４の下部固定部材１０が挿入される挿入空間５１が形成されるように対向に固定片５２を形成し、下側で第２部材２２に形成した組み立て溝２２ｂを通じて挟まれて９０度回動されて係止溝２２ｃに係止されるアンカー部５３を含む構成でなされる。
【００６２】
この時、固定具５に具備されるアンカー部５３は第２部材２２に複数で形成された係止溝２２ｃに選択的に結合されて固定具５を３０度、４５度、６０度の角度で位置されるようにする。
【００６３】
また、第１部材２１と第２部材２２に示されたように上下側にフランジ２４を形成して相互結合されるようにしているが、図５でのように一側をヒンジタイプで構成することができることは当然である。
図７は、本発明に適用されることができるクランプ部材のまた他の例を示す斜視図を示したものである。
【００６４】
図７に示されたクランプ部材２は半弧形で形成される第１部材２１と第２部材２２との組合でなされたものである。この時、第１部材２１または第２部材２２のうちで何れか一つ、または両方すべてにフランジ２４を垂直から３０〜６０度角度でクランプ部材２の軸方向に付着した構成を提供している。
【００６５】
前記フランジ２４は一つ、または一対で具備され、フランジ２４の間には第２支え台４の下部固定部材１０が挿入される挿入空間５１が形成されるか、または締結されるように構成する。必要によっては挿入空間なしに一つのフランジ２４を形成することもでき、フランジ２４を９０度角度に設置することもできる。
図８は、図７に適用されるクランプ部材にフランジを９０度角度で設置し、第１、２支え台を適用した例を示す側断面図を示したものである。
【００６６】
これは半弧形で形成された第１部材２１と第２部材２２のフランジ２４が水平状態で位置されるように配管２００に結合し、上側に位置する第１部材２１に垂直でフランジ２４をさらに形成したものであり、第１部材２１に垂直で形成したフランジ２４に軸直角(横)方向での振動を吸収する第１支え台４を設置し、第１、２部材２１、２２を相互結合するフランジ２４に軸直角(横)方向での振動を吸収する第２支え台４を設置した構成である。
【００６７】
この時、前記第２支え台４をスラブ３００と傾斜型で結合できるようにするために第２支え台４を構成する下部固定部材１０の結合片１５を垂直から３０〜９０度範囲でスラブ３００を向けるように上向き折曲して第２支え台４の設置角度が提供されることができるようにする。
図９は、本発明に適用されることができるクランプ部材のまた他の例を示す分解斜視図である。
【００６８】
図９に示したクランプ部材は、前記図４、５、７に選択的に適用されることができる構成で３個の部材によってなされる。すなわち、１/４弧形で形成される第１部材２１と、２１０〜２４０度角度の弧形で第２部材２２と、垂直方向から３０〜６０度角度でなされた第３部材２３で構成される。
【００６９】
図示されたように、図４でのクランプ部材４で第１部材２１と第２部材２２との形状を異にしたものであり、第１部材２１と第２部材２２とが結合される部分が第１部材２１と第３部材２３が結合される部分と直角で位置されるように構成している。
【００７０】
このような構成は主に共同住宅のようにスラブ３００と天井との間の空間が狭い所に適用する時に第１部材２１と第２部材２２とが結合される部分が天井に干渉されることを防止できるようにするためである。
【００７１】
図１０は、本発明に適用されることができる第１、２支え台の望ましい一実施例を示す斜視図を示したものであり、図１１は本発明の第１、２支え台に適用される下部固定部材の構成を示す分解斜視図あり、図１２は本発明第１、２支え台の正面図をそれぞれ示したものである。
【００７２】
本発明水平配管４方向支え装置１で提供する第１、２支え台３、４はクランプ部材２と結合される下部固定部材１０と、前記下部固定部材１０に螺合されるネジ棒１１と、前記ネジ棒１１の上端に螺合される上部固定部材１２及び上部固定部材１２が結合されるスラブ３００に固定されたブラケット１３を含む構成で提供される。
【００７３】
前記下部固定部材１０と上部固定部材１２は等しい構成で提供されることができるし、この構成は鉄板をプレッシング切断して一側にフランジ２４の間に結合され、フランジ２４に形成された固定孔２５と連通される結合孔１４が形成された結合片１５を形成し、結合片１５反対側には内側に調節空間１６が形成されるようにナット内入溝１７を形成してネジ棒１１が組み立てされるナット２８を利用して固定する構成でなされる。
【００７４】
このような構成で下部固定部材１０及び上部固定部材１２を構成する場合に安価製作が可能であり、またネジ棒１１の長さを調節する方法で第１、２支え台３、４の長さを多様に調節することができる。
【００７５】
前記ブラケット１３はスラブ３００に固定されるアンカーボルトを組立てるボルト孔１３ａが少なくとも一個所以上形成され、上部固定部材１２の結合片１５を固定する固定片１３１が形成される構成を有する。
前記ネジ棒１１は生産性などを考慮する時レディーメードである電算ボルトを適用することができる。
図１３、図１４は本発明第１、２支え台に適用されることができる下部固定部材と上部固定部材の他の実施例を示したものである。
【００７６】
本発明第１、２支え台３、４に適用される下部固定部材１０と上部固定部材１２は図１２でのように結合片１５の下側で調節空間１６が形成されるように連結片１５ａを折曲形成し、連結片１５ａで下側には前記結合片１５と同軸上に位置するようにネジ孔１５cが形成されたネジ棒結合板１５ｂを折曲して形成して構成したものであり、平凸を折曲して形成すれば良い。
【００７７】
図１４は、ダイキャスティングなどによって提供されることができるものであり、結合片１５上側ボディー１９を一体で形成するが、ボディー１９には調節空間１６を軸直角で貫通形成し、ボディー１９の上端にはネジ孔１９aを調節空間１６と連通されるように形成した構成である。
前記図１３、図１４でのように下部固定部材１０と上部固定部材１２を提供する場合ナット１８を溶接固定する厄介なしに製作が可能である。
【００７８】
図１５乃至図１９は、本発明のクランプ部材に下部固定部材を結合した状態でストッパ手段を適用した状態の第１実施例乃至第５実施例を示す拡大斜視図を示したものである。
【００７９】
本発明ではクランプ部材２と下部固定部材１０を結合する時に下部固定部材１０が３０度以上の傾斜角を提供できるようにストッパ手段３０を具備しているし、また、角度表示部４１を置いて支え台の設置角度を作業者が易しく確認できるようにした表示手段４０が提供されている。
【００８０】
前記表示手段４０は図１乃至図５で示したように第１部材２１と第３部材２３とを結合するフランジ２４のうちで何れか一つと、第２部材２２と第３部材２３とを結合するフランジ２４のうちで何れか一つに選択的に角度表示部４１を形成し、下部固定部材１０には前記角度表示部４１と対応する指示部４２を形成して設置角度を提供するようにしたものである。
【００８１】
前記角度表示部４１と指示部４２はプレッシング可能になるように陰刻で形成するようにし、角度表示部４１は３０〜９０度範囲で５〜１０度間隔で表示して多様な角度で第１、２支え台３、４の設置角度を調節できるようにする。
【００８２】
一方、表示手段４０を図６のような固定具５に適用しようとする時には固定具５を構成している固定片５２に形成するようにするか、または図７でのようにフランジ２４に形成するようにする。
また、前記表示手段４０の場合作業者が肉眼で易しく確認することができる部材に形成するようにする。
【００８３】
そして、前記したストッパ手段３０の場合図１５乃至図１９でのように多様な構成でなされるものであり、下部固定部材１０が３０度以下の傾斜角で設置されることを防止できるようにしたことを特徴とする。
【００８４】
前記ストッパ手段３０は第１部材２１と第３部材２３とを結合するフランジ２４及び第２部材２２と第３部材２３とを結合するフランジ２４に適用されるか、またはフランジ２４に結合される固定具５に適用することができる。
【００８５】
ストッパ手段３０の第１実施例としては図１５に示したように第１部材２１と第３部材２３とを結合するフランジ２４のうちで何れか一つと、第２部材２２と第３部材２３とを結合するフランジ２４のうちで何れか一つの上部に外向突き出された状態で下向き折曲して係止突起３１を形成し、下部固定部材１０が垂直から３０度以下で回動された状態で結合されることを防止できるように構成する。
【００８６】
ストッパ手段３０の第２実施例としては図１６でのように第１部材２１と第３部材２３とを結合するフランジ２４のうちで何れか一つと、第２部材２２と第３部材２３とを結合するフランジ２４のうちで何れか一つにプレッシングして内側に突き出させて係止突起３２を形成し、下部固定部材１０が垂直から３０度以下で回動された状態で結合されることを防止できるように構成する。
【００８７】
ストッパ手段３０の第３実施例としては図１７でのように下部固定部材１０の結合片１５下側面を垂直から３０度角度で配管２００と面接支持されるように平面部３３を形成して下部固定部材１０が３０度以下で回動された状態で結合されることを防止できるように構成する。
【００８８】
ストッパ手段３０の第４実施例としては図１８でのように下部固定部材１０に具備された結合片１５の中間一側に突き出された係止突起３４を形成し、下部固定部材１０が３０度以下で回動された状態で結合されることを防止できるように構成する。
【００８９】
ストッパ手段３０の第５実施例としては図１９でのように第１部材２１と第３部材２３とを結合するフランジ２４と、第２部材２２と第３部材２３とを結合するフランジ２４に複数の角度調節用孔３５を形成し、下部固定部材１０にはフランジ２４に形成した角度調節用孔３５のうちで何れか一つと連通されるように中心線上に固定孔３６を形成し、固定ピン３７で相互固定されることができるようにする。この時、角度調節用孔３５は配管２００と垂直線上で第１、２支え台３、４が３０度、４５度、６０度などで傾くように設置される位置にそれぞれ形成し、第１、２支え台３、４の設置が３０度、４５度、６０度などで傾くように設置されるように構成する。
【００９０】
また、本発明で別に図示されなかったが、図１５、図１６、図１７でのように構成されるストッパ手段３０の場合第２部材２２に結合される固定具５の固定片５２にも適用されることができることは当然である。
【００９１】
以上のように構成される本発明の水平配管４方向支え装置１を使用する場合、一つのクランプ部材２に軸(縦)方向と軸直角(横)方向に適用する第１、２支え台３、４を共に設置することができる構成であり、構成を簡素化でき、特に、第１、２支え台３、４を安価製作して普及することができるものである。
【００９２】
また、クランプ部材２と第１、２支え台３、４を結合するにおいて、表示手段４０及びストッパ手段３０を利用して多様な角度で支え台を設置することができることは勿論であり、消防法で制限している垂直から３０度以下角度では設置が不可能であって、設置不良の問題点を一掃することができるものである。
図２０は、本発明の第１支え台にハンガーを適用した状態を示す斜視図を示したものであり、図２１は図２０の正面図を示したものである。
【００９３】
本発明で提供する第１支え台３を設置する前ハンガー６が具備されて配管２００をかけて狭い空間での作業性が保障されることができるし、支え台とハンガー６を二重で設置する工程を減らすことができる。
【００９４】
すなわち、本発明では第１支え台３を構成しているブラケット１３に上部固定部材１２が結合される一対の固定片１３１を折曲して一体型で形成するが、ブラケット１３を固定するアンカーボルト１３２にはソケット型ナット６１を結合し、ソケット型ナット６１にはハンガー６を設置するようにする。
【００９５】
前記ハンガー６はソケット型ナット６１に結合されるネジ棒６２と、ネジ棒６２の下端に結合される連結具６３と、連結具６３の下端に結合されて配管２００をクランピングするクリップ６４を含む構成でなされる。
【００９６】
前記ハンガー６は配管２００を単純にかけて作業が便利になされるようにする構成部材であり、本発明を利用して配管２００を設置した状態で撤去するか、またはハンガー６をそのまま設置することで、一般的なハンガー６設置後軸(縦)方向または軸直角(横)方向の第１、２支え台３、４を二重で設置する工程を減らすことができる。
【００９７】
前記したハンガー６を使用する場合、特に、スラブ３００下側に作業空間が狭小な共同住宅の天井などに使って配管２００設置を容易にする機能性を提供するようになる。
図２２は、本発明のクランプ部材に第２支え台だけ適用した状態でハンガーを適用した状態を示す斜視図を示したものである。
【００９８】
図示したように、クランプ部材２が１/４弧形で形成される第１部材２１と、２１０〜２４０度角度の弧形で第２部材２２と、垂直方向から３０〜６０度角度でなされた第３部材２３で構成される。
【００９９】
前記のように構成されるクランプ部材２を構成するにおいて、第２部材２２と第３部材２３の連結部分で第２支え台が適用され、第１部材２１と第２部材２２の連結部分にハンガー６を適用するようにしたものである。
【０１００】
前記ハンガー６はスラブ３００に固定されたアンカーボルト１３２に結合したソケット型ナット６１と、ソケット型ナット６１に結合されるネジ棒６２と、ネジ棒６２の下端に結合されて第１部材２１と第２部材２２との連結部分に下端が連結具６３を含む構成でなされる。
図２２のような構成はクランプ部材２に第２支え台４だけ適用する時別にハンガー６を設置する煩わしさを解決する機能性を提供するようになるものである。
図２３は、本発明に適用されることができるクランプ部材のまた他の例を示す斜視図を示したものである。
【０１０１】
図２３に示されたクランプ部材２は、主にスラブ３００と天井間の高さが低い所(アパートなど)に使用できるように開発したものであり、半弧形で形成される第１部材２１と第２部材２２との組合でなされたものである。この時、第１部材２１または第２部材２２のうちで何れか一つ、または両方すべてにフランジ２４を垂直から３０〜６０度角度で付着するにおいて、図７と異なりフランジ２４が円周方向に向けるようにした構成を提供している。
【０１０２】
前記フランジ２４は一つ、または一対で具備され、本発明では一対で構成されたものが提案されているし、図示したように鉄板を凵型で折曲して連結部分側を第１部材２１または第２部材２２に溶接などの方法で固定した構成を提供し、また開口側である上端両側に３０度または４５度角度の傾斜面２４ａを形成した構成でなされる。
前記フランジ２４は連結部分がクランプ部材２の幅に符合するか、またはクランプ部材２の幅より狭い幅で構成される。
【０１０３】
そして、前記クランプ部材２を構成する第１部材２１と第２部材２２の内周縁にはゴム材質などで構成される緩衝材５０を付加構成するようにする。前記緩衝材５０は前記した多様な実施例らのクランプ部材２に共用に使用可能である。
【０１０４】
前記のようにフランジ２４を円周方向に適用する場合第２支え台４で提供される引張力によるせん断力を高めることができて使用中フランジ２４及びクランプ部材２が変形されるなどの問題点がない堅固な構成のクランプ部材２を提供することができるようになる。
【０１０５】
また、前記フランジ２４が形成された第１部材２１または第２部材２２にはフランジ２４と３０度角度でよれた位置にハンガー兼用フランジ２７をさらに設置して第１支え台３またはハンガー６を結合するようにする。
【０１０６】
図２４は、図２３に適用されることができる第２支え台の望ましい一実施例を示す斜視図を示したものであり、図２５は図２４で提供する第２支え台の使用例を示す正面図を示したものである。
【０１０７】
図示したように、上端がスラブ３００に固定されたブラケット１３に回動自在にボルトとナットでなされた固定手段６０で結合され、下端が鉄板を凵型で折曲して構成したフランジ２４に回動自在にボルトとナットでなされた固定手段６０で結合した構成である。
【０１０８】
これは支え役割をするパイプ７０を適当な長さでカッティングし、両端に固定手段６０を組立てることができる孔だけ穿孔すれば良いものであり、構成を簡素化しながらも支え能力を極大化できる機能性を提供するようになるものである。
【０１０９】
図２６は、図２３に適用されることができる第２支え台の望ましい他の実施例を示す斜視図を示したものであり、図２７は図２６で提供する第２支え台の使用例を示す正面図を示したものである。
【０１１０】
図２６、図２７で提供する第２支え台４は図２３で提供している鉄板を凵型で折曲して構成したフランジ２４の内側または外側と、スラブ３００に固定されたブラケット１３に結合される下部固定部材１０及び上部固定部材１２と、これらを相互連結するネジ棒１１及びネジ棒１１に締結されるナット１８を含む構成でなされる。
【０１１１】
前記下部固定部材１０及び上部固定部材１２は、向かい合う一対の固定板１０ａ、１２ａとこれらの固定板１０ａ、１２ａの一側を連結する連結板１０ｂ、１２ｂを含む構成でなされて、両側固定板１０ａ、１２ａにはフランジ２４に形成された孔と連通されてボルトとナットで構成される固定手段６０を結合するように固定孔１０c、１２ｃを形成し、連結板１０ｂ、１２ｂにはネジ棒１１が挟まれるネジ棒組み立て孔１０ｄ、１２ｄを形成したものであり、フランジ２４と共に鉄板を凵型で折曲して構成したものである。
【０１１２】
そして、前記フランジ２４の上端のように固定板１０ａ、１２ａには開口側である上端両側に３０度または４５度角度の傾斜面１０ｅ、１２eを形成するようにする。
【０１１３】
前記のように第２支え台４を構成する場合フランジ２４と下部固定部材１０の角度調節を別途の表示手段がなくても３０度、４５度、６０度で設置がなされることができるものである。
【０１１４】
すなわち、本発明の実施例のようにフランジ２４と下部固定部材１０の固定板１０ａをお互いに一致するようにすれば第２支え台４を３０度角度で設置するようになるものであり、フランジ２４と下部固定部材１０の固定板１０ａに形成された傾斜面２４ａ、１０ｅが一致するようにすれば、第２支え台４を４５度で設置するようになるものである。
【０１１５】
本発明の詳細な説明では具体的な実施例に関して説明しているが、本発明の範疇から脱しない限度内で多様な変形が可能であることは勿論である。それで、本発明の保護範囲は説明された実施例に限って決まってはいけないし、後述する請求範囲だけでなく均等なものなどによって決まらなければならない。
【図１】
2020516835.tif 000003
【図２】
2020516835.tif 000004
【図３】
2020516835.tif 000005
【図４】
2020516835.tif 000006
【図５】
2020516835.tif 000007
【図６】
2020516835.tif 000008
【図７】
2020516835.tif 000009
【図８】
2020516835.tif 000010
【図９】
2020516835.tif 000011
【図１０】
2020516835.tif 000012
【図１１】
2020516835.tif 000013
【図１２】
2020516835.tif 000014
【図１３】
2020516835.tif 000015
【図１４】
2020516835.tif 000016
【図１５】
2020516835.tif 000017
【図１６】
2020516835.tif 000018
【図１７】
2020516835.tif 000019
【図１８】
2020516835.tif 000020
【図１９】
2020516835.tif 000021
【図２０】
2020516835.tif 000022
【図２１】
2020516835.tif 000023
【図２２】
2020516835.tif 000024
【図２３】
2020516835.tif 000025
【図２４】
2020516835.tif 000026
【図２５】
2020516835.tif 000027
【図２６】
2020516835.tif 000028
【図２７】
2020516835.tif 000029
【国際調査報告】
2020516835.tif 000030
2020516835.tif 000031
2020516835.tif 000032
2020516835.tif 000033
2020516835.tif 000034
2020516835.tif 000035